(57)【要約】  本発明は、待ち受け画面機能付き移動通信端末機に関し、特に、移動通信端末機の待ち受け画面用テンプレートを非定型で表示するための方法に関する。本発明に係る移動通信端末機の待ち受けモード画面に非定型テンプレートタイプを表示する方法は、移動通信端末機の待ち受けモード画面に表示するために、既設定のいずれか一つの非定型テンプレートタイプ(Atypical Template Type)を選択するステップと、選択した非定型テンプレートタイプの設定値（properties or profiles）を検査するステップと、設定値に応じて構成された非定型テンプレートタイプでチャネルが構成され、既表示のテンプレートタイプから選択された非定型テンプレートタイプに前記待ち受けモード画面のテンプレートタイプが変更されるステップと、変更されたテンプレートタイプが待ち受けモード画面として表示されるステップと、を含むことを特徴とする。
2008537401.tif 000002
【特許請求の範囲】
【請求項１】
（ａ）移動通信端末機の待ち受けモード画面に表示するために、既設定のいずれか一つの非定型テンプレートタイプを選択するステップと、
（ｂ）前記選択された非定型テンプレートタイプの設定値を検査するステップと、
（ｃ）前記設定値に応じて構成された非定型テンプレートタイプでチャネルが構成され、既表示のテンプレートタイプから前記選択された非定型テンプレートタイプに前記待ち受けモード画面のテンプレートタイプが変更されるステップと、
を含む、移動通信端末機の待ち受けモード画面に非定型テンプレートタイプを表示する方法。
【請求項２】
前記（ａ）ステップの非定型テンプレートタイプの選択は、前記移動通信端末機内のテンプレートタイプ変更応用プログラムを用いて選択するか、またはＷＥＢもしくはＷＡＢを介して選択される、請求項１に記載の移動通信端末機の待ち受けモード画面に非定型テンプレートタイプを表示する方法。
【請求項３】
前記応用プログラムを介して非定型テンプレートタイプが変更される場合は、変更されたテンプレートタイプに該当する非定型テンプレートタイプコードがサービスサーバに送信される、請求項２に記載の移動通信端末機の待ち受けモード画面に非定型テンプレートタイプを表示する方法。
【請求項４】
前記ＷＥＢまたはＷＡＢを介して非定型テンプレートタイプが変更される場合は、変更されたテンプレートタイプに該当する非定型テンプレートタイプコードが前記サービスサーバから移動通信端末機に送信される、請求項２に記載の移動通信端末機の待ち受けモード画面に非定型テンプレートタイプを表示する方法。
【請求項５】
前記（ｂ）ステップの設定値は、前記非定型テンプレートタイプの色情報、配置可能座標値の範囲、ビューポイント、最大オブジェクトの数またはフォント情報のうちのいずれか一つ以上を含む、請求項１に記載の移動通信端末機の待ち受けモード画面に非定型テンプレートタイプを表示する方法。
【請求項６】
前記（ｃ）ステップ後、
（ｃ−１）前記構成された各々のチャネルにコンテンツ情報が設定されているか否かを検査するステップと、
（ｃ−２）前記コンテンツ情報が設定されていないチャネルがある場合、所望のコンテンツ情報がチャネルに割り当てられるように設定するステップと、
をさらに含む、請求項１に記載の移動通信端末機の待ち受けモード画面に非定型テンプレートタイプを表示する方法。
【請求項７】
前記（ｃ）ステップのチャネル構成は、
前記構成されなければならないチャネルに該当するグラフィックユーザインタフェースオブジェクトを検査するステップと、
前記グラフィックユーザインタフェースオブジェクトの座標値を前記（ｂ）ステップの設定値である配置可能座標値の範囲内に含むように位置させるステップと、
を含む、請求項６に記載の移動通信端末機の待ち受けモード画面に非定型テンプレートタイプを表示する方法。
【請求項８】
前記（ｃ−２）ステップの所望のコンテンツ情報がチャネルに割り当てられることは、
前記サービスサーバに要請して前記サービスサーバから送信されるか、もしくは既受信の移動通信端末機内のコンテンツ情報を選択して割り当てるか、または前記移動通信端末機の内蔵機能を選択して割り当てる、請求項６に記載の移動通信端末機の待ち受けモード画面に非定型テンプレートタイプを表示する方法。
【請求項９】
前記サービスサーバに要請されるコンテンツ情報は、コンテンツコードで送信される、請求項８に記載の移動通信端末機の待ち受けモード画面に非定型テンプレートタイプを表示する方法。
【請求項１０】
前記選択された非定型テンプレートタイプに含まれたチャネルは、文字もしくはイメージが移動して表示されるスライディング領域、またはイメージもしくは動画が表示されるマルチメディア領域である、請求項１に記載の移動通信端末機の待ち受けモード画面に非定型テンプレートタイプを表示する方法。
【請求項１１】
（ａ）移動通信端末機の待ち受けモード画面に表示するために、既設定のいずれか一つの非定型テンプレートタイプを選択するステップと、
（ｂ）前記選択された非定型テンプレートタイプの設定値を検査するステップと、
（ｃ）前記設定値に応じて構成された非定型テンプレートタイプでチャネルが構成され、既表示のテンプレートタイプから前記選択された非定型テンプレートタイプに前記待ち受けモード画面のテンプレートタイプが変更されるステップと、
を含む、移動通信端末機の待ち受けモード画面に非定型テンプレートタイプを表示する方法をコンピュータで実行させるためのプログラムを記録した、コンピュータで読み出すことができる記録媒体。
【請求項１２】
移動通信端末機の待ち受けモード画面に表示するために、既設定のいずれか一つの非定型テンプレートタイプを選択する選択手段と、
前記選択した非定型テンプレートタイプの設定値を検査する検査手段と、
前記設定値に応じて構成された非定型テンプレートタイプでチャネルが構成され、既表示のテンプレートタイプから選択された非定型テンプレートタイプに前記待ち受けモード画面のテンプレートタイプが変更される変更手段と、
前記変更したテンプレートタイプが待ち受けモード画面として表示される表示手段と、
を含む、待ち受けモード画面用非定型テンプレートタイプを変更／表示することができる移動通信端末機。
【請求項１３】
前記選択手段は、前記移動通信端末機内のテンプレートタイプ変更応用プログラムを用いて選択するか、またはＷＥＢもしくはＷＡＢを介して選択される、請求項１２に記載の待ち受けモード画面用非定型テンプレートタイプを変更／表示することができる移動通信端末機。
【請求項１４】
前記応用プログラムを介して非定型テンプレートタイプが変更される場合は、変更されたテンプレートタイプに該当する非定型テンプレートタイプコードがサービスサーバに送信される、請求項１３に記載の待ち受けモード画面用非定型テンプレートタイプを変更／表示することができる移動通信端末機。
【請求項１５】
前記ＷＥＢまたはＷＡＢを介して非定型テンプレートタイプが変更される場合は、変更されたテンプレートタイプに該当する非定型テンプレートタイプコードが前記サービスサーバから移動通信端末機に送信される、請求項１３に記載の待ち受けモード画面用非定型テンプレートタイプを変更／表示することができる移動通信端末機。
【請求項１６】
前記設定値は、前記非定型テンプレートタイプの色情報、配置可能座標値の範囲、ビューポイント、最大オブジェクトの数またはフォント情報のうちのいずれか一つ以上を含む、請求項１２に記載の待ち受けモード画面用非定型テンプレートタイプを変更／表示することができる移動通信端末機。
【請求項１７】
前記変更手段は、
前記構成されなければならないチャネルに該当するグラフィックユーザインタフェースオブジェクトを検査するＧＵＩ検査手段と、
前記グラフィックユーザインタフェースオブジェクトの座標値を前記設定値の配置可能座標値の範囲内に含むように位置させる手段と、
をさらに含む、請求項１２に記載の待ち受けモード画面用非定型テンプレートタイプを変更／表示することができる移動通信端末機。
【請求項１８】
前記変更手段は、
前記構成された各々のチャネルにコンテンツ情報が設定されているか否かを検査するコンテンツ情報検査手段と、
前記コンテンツ情報が設定されていないチャネルがある場合、所望のコンテンツ情報がチャネルに割り当てられるようにするコンテンツ設定手段と、
をさらに含む、請求項１２に記載の待ち受けモード画面用非定型テンプレートタイプを変更／表示することができる移動通信端末機。
【請求項１９】
前記所望のコンテンツ情報がチャネルに割り当てられることは、
前記サービスサーバに要請して前記サービスサーバから送信されるか、もしくは既受信の移動通信端末機内のコンテンツ情報を選択して割り当てるか、または
前記移動通信端末機の内蔵機能を選択して割り当てる、請求項１８に記載の待ち受けモード画面用非定型テンプレートタイプを変更／表示することができる移動通信端末機。
【請求項２０】
前記サービスサーバに要請されるコンテンツ情報は、コンテンツコードで送信される、請求項１９に記載の待ち受けモード画面用非定型テンプレートタイプを変更／表示することができる移動通信端末機。
【請求項２１】
前記選択された非定型テンプレートタイプに含まれたチャネルは、文字もしくはイメージが移動して表示されるスライディング領域またはイメージもしくは動画が表示されるマルチメディア領域である、請求項１２に記載の待ち受けモード画面用非定型テンプレートタイプを変更／表示することができる移動通信端末機。
【発明の詳細な説明】
【技術分野】
【０００１】
本発明は、待ち受け画面機能付き移動通信端末機に関し、特に、移動通信端末機の待ち受け画面用テンプレートを非定型で表示するための方法に関する。
【背景技術】
【０００２】
無線インターネットサービスが発展するにつれて、ユーザ中心の情報サービスが提供され、これは、無線インターネットの大衆化をもたらしている。
【０００３】
一般に、無線インターネットサービスシステムにおいて、ある情報をユーザに伝達するためには、短文メッセージ（Short Message Service；ＳＭＳ）の形態で伝達するため、短文メッセージで受信された情報は、移動通信端末装置内で単純なメッセージとして格納され、この場合、金融情報及びエンターテイメントバナーなどのマルチメディア情報を見せ続けることはできない。
【０００４】
現在の無線インターネットサービスシステムは、移動通信端末装置のカラー画面の採用、移動通信携帯端末の高仕様化及び無線インターネットの速度の発展などによるマルチメディア情報の利用が増加しているのが現状である。
【０００５】
また、従来の情報送信は、ユーザが設定した情報ではなく、特化した情報に限ってＳＭＳサービスを介して情報を伝達するので、多様な金融情報及びエンターテイメント情報をユーザが設定して用いることができないという問題点がある。
【０００６】
また、従来の短文メッセージサービスを利用した情報送信サービスは、一回に送信できるデータの量が制限されるので、オーディオやビデオタイプの情報をユーザに伝達できないという問題がある。
【０００７】
また、従来の短文メッセージサービスを利用した情報送信サービスは、単純に情報を伝達することでそのサービスが終了し、ハイパーリンク機能により、関連した無線インターネットサイトと接続する方式のユーザと相互作用ができないという問題がある。
【０００８】
また、従来の情報提供は、ユーザ自ら移動通信携帯端末に内蔵されたインターネット接続アプリケーションまたはブラウザーを用いて接続しないと情報獲得ができず、ユーザ別に特化した情報の提供が不可能であるという問題がある。
【０００９】
上記のような従来の問題点を解決するために、本出願人は「移動通信端末装置のための待ち受け画面リソース制御並びに運用装置及び方法」で国際出願（ＰＣＴ／ＫＲ２００４／０００８９７）を行ったことがある。
【００１０】
図１は、本出願人が国際出願した従来の「移動通信端末装置のための待ち受け画面リソース制御並びに運用装置及び方法」において、移動通信端末機の待ち受けモード画面に表示されるテンプレートにコンテンツが提供されることを示すものである。
【００１１】
同図に示すように、移動通信端末機の待ち受けモード画面１００は、多様なテンプレート１０１を構成して表示され、テンプレートタイプ１０１は、コンテンツが表示される領域１０１ａ〜１０１ｄが流動的でなく、固定されるという短所があった。
【発明の開示】
【００１２】
上述の問題点を解決するため、本発明は、多様なコンテンツを移動通信端末機の待ち受けモード画面に非定型で表示され得るように、非定型テンプレートタイプを提供することにその目的がある。
【００１３】
上記の目的を達成すべく、本発明に係る移動通信端末機の待ち受け画面に非定型テンプレートタイプを表示する方法は、移動通信端末機の待ち受けモード画面に表示するために、既設定のいずれか一つの非定型テンプレートタイプ(Atypical Template Type)を選択するステップと、（ｂ）前記選択された非定型テンプレートタイプの設定値（properties or profiles）を検査するステップと、（ｃ）前記設定値に応じて構成された非定型テンプレートタイプでチャネルが構成され、既表示のテンプレートタイプから選択された非定型テンプレートタイプに前記待ち受けモード画面のテンプレートタイプが変更されるステップと、を含む。
【００１４】
ここで、前記（ａ）ステップの非定型テンプレートタイプの選択は、前記移動通信端末機内のテンプレートタイプ変更応用プログラムを用いて選択するか、またはＷＥＢもしくはＷＡＢを介して選択される。
ここで、前記応用プログラムを介して非定型テンプレートタイプが変更される場合は、変更されたテンプレートタイプに該当する非定型テンプレートタイプコードがサービスサーバに送信され、前記ＷＥＢまたはＷＡＢを介して非定型テンプレートタイプが変更される場合は、変更されたテンプレートタイプに該当する非定型テンプレートタイプコードが前記サービスサーバから移動通信端末機に送信されるように具現される。
【００１５】
ここで、前記（ｂ）ステップの設定値は、前記非定型テンプレートタイプの色情報、配置可能座標値の範囲、ビューポイント（view point）、最大オブジェクトの数またはフォント情報のうちのいずれか一つ以上を含むことが好ましい。
ここで、前記（ｃ）ステップ後、（ｃ−１）前記構成された各々のチャネルにコンテンツ情報が設定されているか否かを検査するステップと、（ｃ−２）前記コンテンツ情報が設定されていないチャネルがある場合、所望のコンテンツ情報がチャネルに割り当てられるように設定するステップと、をさらに含む。
【００１６】
ここで、前記（ｃ）ステップのチャネル構成は、前記構成されなければならないチャネルに該当するグラフィックユーザインタフェース（Graphic User Interface）オブジェクトを検査するステップと、前記グラフィックユーザインタフェースオブジェクトの座標値を前記（ｂ）ステップの設定値である配置可能座標値の範囲内に含むように位置させるステップと、からなる。
【００１７】
ここで、前記（ｃ−２）ステップの所望のコンテンツ情報がチャネルに割り当てられることは、前記サービスサーバに要請して前記サービスサーバから送信されるか、もしくは既受信の移動通信端末機内のコンテンツ情報を選択して割り当てるか、または前記移動通信端末機の内蔵機能を選択して割り当てることが好ましい。
【００１８】
ここで、前記選択された非定型テンプレートタイプに含まれたチャネルは、文字もしくはイメージが移動して表示されるスライディング領域またはイメージもしくは動画が表示されるマルチメディア領域である。
【００１９】
また、本発明に係る移動通信端末機の待ち受けモード画面に非定型テンプレートタイプを表示する方法をコンピュータで実行させるためのプログラムを記録したコンピュータで読み出すことができる記録媒体は、（ａ）移動通信端末機の待ち受けモード画面に表示するために、既設定のいずれか一つの非定型テンプレートタイプを選択するステップと、（ｂ）前記選択された非定型テンプレートタイプの設定値を検査するステップと、（ｃ）前記設定値に応じて構成された非定型テンプレートタイプでチャネルが構成され、既表示のテンプレートタイプから選択された非定型テンプレートタイプに前記待ち受けモード画面のテンプレートタイプが変更されるステップと、（ｄ）前記変更されたテンプレートタイプが待ち受けモード画面として表示されるステップと、を含む。
【００２０】
また、本発明に係る待ち受けモード画面用非定型テンプレートタイプを変更／表示することができる移動通信端末機は、移動通信端末機の待ち受けモード画面に表示するために、既設定のいずれか一つの非定型テンプレートタイプを選択する選択手段と、前記選択した非定型テンプレートタイプの設定値を検査する検査手段と、前記設定値に応じて構成された非定型テンプレートタイプでチャネルが構成され、既表示のテンプレートタイプから選択された非定型テンプレートタイプに前記待ち受けモード画面のテンプレートタイプが変更される変更手段と、前記変更したテンプレートタイプが待ち受けモード画面として表示される表示手段と、を含む。
【００２１】
ここで、前記選択手段は、前記移動通信端末機内のテンプレートタイプ変更応用プログラムを用いて選択するか、またはＷＥＢもしくはＷＡＢを介して選択される。
ここで、前記応用プログラムを介して非定型テンプレートタイプが変更される場合は、変更されたテンプレートタイプに該当する非定型テンプレートタイプコードがサービスサーバに送信され、前記ＷＥＢまたはＷＡＢを介して非定型テンプレートタイプが変更される場合は、変更されたテンプレートタイプに該当する非定型テンプレートタイプコードが前記サービスサーバから移動通信端末機に送信される。
【００２２】
ここで、前記設定値は、前記非定型テンプレートタイプの色情報、配置可能座標値の範囲、ビューポイント、最大オブジェクトの数またはフォント情報のうちのいずれか一つ以上を含むことが好ましい。
【００２３】
ここで、前記変更手段は、前記構成されなければならないチャネルに該当するグラフィックユーザインタフェースオブジェクトを検査するＧＵＩ検査手段と、前記グラフィックユーザインタフェースオブジェクトの座標値を前記設定値の配置可能座標値の範囲内に含むように位置させる手段と、をさらに含む。
【００２４】
ここで、前記変更手段は、前記構成された各々のチャネルにコンテンツ情報が設定されているか否かを検査するコンテンツ情報検査手段と、前記コンテンツ情報が設定されていないチャネルがある場合、所望のコンテンツ情報がチャネルに割り当てられるようにするコンテンツ設定手段と、をさらに含む。
【００２５】
ここで、前記所望のコンテンツ情報がチャネルに割り当てられることは、前記サービスサーバに要請して前記サービスサーバから送信されるか、もしくは既受信の移動通信端末機内のコンテンツ情報を選択して割り当てるか、または前記移動通信端末機の内蔵機能を選択して割り当てることが好ましい。
【００２６】
ここで、前記サービスサーバに要請されるコンテンツ情報は、コンテンツコードで送信されることが好ましい。
【００２７】
ここで、前記選択された非定型テンプレートタイプに含まれたチャネルは、文字もしくはイメージが移動して表示されるスライディング領域またはイメージもしくは動画が表示されるマルチメディア領域である。
【００２８】
その他、実施形態の具体的な事項は、詳細な説明及び図面に含まれている。
［発明の効果］
上述の本発明の構成によれば、移動通信端末機の待ち受けモード画面に非定型で表示され得るテンプレートタイプを提供して、多様なコンテンツを待ち受けモード画面に位置させて表示できる。
【発明を実施するための最良の形態】
【００２９】
明細書全体にわたって同一の参照符号は、同一の構成要素を指し示す。
【００３０】
以下、添付された図面を参照して、本発明の好ましい実施形態を詳細に説明する。
【００３１】
図２は、本発明に係る移動通信端末機の待ち受けモード画面に非定型テンプレートタイプを表示するためのシステムを示すものである。
【００３２】
同図に示すように、移動通信端末機の待ち受けモード画面に非定型テンプレートタイプを表示するためのシステムは、コンテンツサーバ部２１０、サービスサーバ部２２０、ネットワーク２３０及びクライアント部２４０を備える。
【００３３】
ここで、コンテンツサーバ部２１０は、マルチメディア提供サーバ２１１、新聞社、オンラインポータル社または大学から情報を提供するサーバ２１２または個人ホームページを提供するサーバ２１３のように、多様な情報を提供するサーバで構成される。
【００３４】
すなわち、多数のサーバで多数のコンテンツ情報を提供するサーバを意味するものである。
【００３５】
サービスサーバ部２２０は、サービスサーバ２２１、移動通信社のゲートウェイ２２２、移動通信社サーバ２２３及びテンプレートサーバ２２４を備える。
【００３６】
ここで、サービスサーバ２２１は、クライアント部２４０の多様な移動通信端末機２４１、２４２の待ち受けモード画面に文字メッセージ形態で情報を提供するためのシステムが備えられる。
【００３７】
ここで、移動通信社のゲートウェイ２２２は、サービスサーバ２２１からクライアント部２４０にコンテンツを提供するための情報を、移動通信社サーバ２２３によって統合処理するために収集する。
【００３８】
ここで、移動通信社サーバ２２３は、クライアント部２４０に通信網２３０を用いて情報を提供する。
【００３９】
ここで、テンプレートサーバ２２４は、サービスサーバ２２１からクライアント部２４０に提供する多様なコンテンツを表示するテンプレートタイプを提供するサーバである。
【００４０】
ここで、テンプレートサーバ２２４は、ユーザの増加やネットワーク効率のために、図示のように別に備えることができるが、サーバの容量が不足していなければサービスサーバ２２１に内蔵できる。
【００４１】
すなわち、テンプレートサーバ２２４は、ユーザに応じて設定された多様なテンプレートタイプに該当する情報をサービスサーバ２２１に提供することと共に、ユーザに応じて提供される非定型テンプレートタイプの情報と設定値とを提供する。
【００４２】
ここで、設定値は、色情報、配置可能座標値の範囲、ビューポイント（view point）、最大オブジェクトの数またはフォント情報のようなもの等で構成される。
【００４３】
クライアント部２４０は、移動通信端末機２４１、２４２を備える。
【００４４】
ここで、移動通信端末機２４１、２４２は、待ち受けモード画面が提供される移動通信端末機である。
【００４５】
結果として、移動通信端末機２４１、２４２の待ち受けモード画面を介して表示されるためのテンプレートタイプが非定型で構成されて、多様なタイプが表示されることができる非定型テンプレートタイプを提供するシステムが構成される。
【００４６】
図３は、本発明に係る移動通信端末機の待ち受けモード画面に非定型テンプレートタイプを表示する方法を説明するために示す順序図である。
【００４７】
同図に示すように、移動通信端末機の待ち受けモード画面に表示するために、既設定のいずれか一つの非定型テンプレートタイプを選択する（Ｓ３０１）。
【００４８】
ここで、移動通信端末機内のテンプレートタイプ変更応用プログラムを用いて選択するか、またはＷＥＢもしくはＷＡＢを介して選択され、応用プログラムを介して非定型テンプレートタイプが変更される場合は、変更されたテンプレートタイプに該当する非定型テンプレートタイプコードがサービスサーバに送信され、ＷＥＢまたはＷＡＢを介して非定型テンプレートタイプが変更される場合は、変更されたテンプレートタイプに該当する非定型テンプレートタイプコードがサービスサーバから移動通信端末機に送信される。
【００４９】
選択された非定型テンプレートタイプの設定値を検査する（Ｓ３０２）。
【００５０】
ここで、設定値は、非定型テンプレートタイプの色情報、配置可能座標値の範囲、ビューポイント、最大オブジェクトの数またはフォント情報のうちのいずれか一つ以上を含む。
【００５１】
設定値に応じて構成された非定型テンプレートタイプでチャネルが構成され、既表示のテンプレートタイプから選択された非定型テンプレートタイプで待ち受けモード画面のテンプレートタイプが変更される（Ｓ３０３）。
【００５２】
ここで、構成されなければならないチャネルに該当するグラフィックユーザインタフェース（Graphic User Interface）オブジェクトを検査し、グラフィックユーザインタフェースオブジェクトの座標値を、設定値である配置可能座標値の範囲内に含むように位置させる。
【００５３】
また、構成された各々のチャネルにコンテンツ情報が設定されているか否かを検査し、検査結果に応じてコンテンツ情報が設定されていないチャネルがある場合、所望のコンテンツ情報がチャネルに割り当てられるように設定する。
【００５４】
また、所望のコンテンツ情報がチャネルに割り当てられることは、サービスサーバに要請してサービスサーバから送信されるか、または既受信の移動通信端末機内のコンテンツ情報を選択して割り当てるようになる。
【００５５】
ここで、サービスサーバに要請されるコンテンツ情報は、コンテンツコードで送信される。
【００５６】
変更されたテンプレートタイプが待ち受けモード画面として表示される（Ｓ３０４）。
【００５７】
ここで、選択された非定型テンプレートタイプに含まれたチャネルは、文字もしくははイメージが移動して表示されるスライディング領域、またはイメージもしくは動画が表示されるマルチメディア領域で構成される。
【００５８】
図４は、本発明に係る移動通信端末機の待ち受けモード画面に非定型テンプレートタイプを表示する方法による一実施形態を示すものである。
【００５９】
同図に示すように、移動通信端末機の待ち受けモード画面４００は、非定型コンテンツ表示領域４０１ａ〜４０１ｆを表示する。
【００６０】
ここで、それぞれの表示領域に対するオブジェクトを得、オブジェクトに関する設定値を読み、移動通信端末機の待ち受けモード画面に表示する。
【００６１】
すなわち、従来の待ち受けモード画面に各々の領域を予め設定しておいて、表示されていたコンテンツを非定型形態に設定できるように、座標値のような設定値を読んで、非定型形態でコンテンツを表示するようになるのである。
【００６２】
ここで、非定型コンテンツが６個で構成されて、待ち受けモード画面に表示されるようにしたものであるが、移動通信端末機の待ち受けモード画面を処理するプロセッサの性能や、サービスの方針によって変わり得る。
【００６３】
図５は、本発明に係る移動通信端末機の待ち受けモード画面に非定型テンプレートタイプを表示する方法による他の実施形態を示すものである。
【００６４】
同図に示すように、移動通信端末機の待ち受けモード画面４１０は、非定型コンテンツ表示領域４１１ａ〜４１１ｃを表示する。
【００６５】
ここで、それぞれの表示領域に対するオブジェクトを得、オブジェクトに関する設定値を読んで、移動通信端末機の待ち受けモード画面に表示するようになる。
【００６６】
すなわち、従来の待ち受けモード画面に各々の領域を予め設定しておいて、表示されたコンテンツを非定型形態に設定できるように、座標値のような設定値を読んで、非定型形態でコンテンツを表示するようになるのである。
【００６７】
また、移動通信端末機の待ち受けモード画面に移動通信端末機の内蔵機能を付加して、一つのコンテンツのチャネルに割り当てることにより、待ち受けモード画面を多様な用途で使用することができる。
【００６８】
ここで、非定型コンテンツが６個で構成されて、待ち受けモード画面に表示されるようにしたものであるが、移動通信端末機の待ち受けモード画面を処理するプロセッサの性能や、サービスの政策によって変わり得る。
【産業上の利用可能性】
【００６９】
上述の本発明の構成によれば、移動通信端末機の待ち受けモード画面に非定型で表示され得るテンプレートタイプを提供して、多様なコンテンツを待ち受けモード画面に位置させて表示することができる。
【００７０】
以上添付された図面を参照して本発明の実施形態を説明したが、上述の本発明の技術的構成は、本発明の属する技術分野における通常の知識を有した者が本発明のその技術的思想や必須特徴を変更せずに、他の具体的な形態で実施し得ることを理解すべきである。したがって、以上で記述した実施形態は、すべての面において例示的かつ限定的なものであると理解すべきであり、本発明の範囲は、上記の詳細な説明ではなく、後述の請求の範囲により決められ、請求の範囲の意味及び範囲、そしてそれと等価の概念から導出されるすべての変更または変形された形態が本発明の範囲に含まれるものと解析されなければならない。
【図面の簡単な説明】
【００７１】
【図１】は、本出願人が国際出願した従来の「移動通信端末装置のための待ち受け画面リソース制御並びに運用装置及び方法」において、移動通信端末機の待ち受けモード画面に表示されるテンプレートにコンテンツが提供されることを示すものである。
【図２】は、本発明に係る移動通信端末機の待ち受けモード画面に非定型テンプレートタイプを表示するためのシステムを示すものである。
【図３】は、本発明に係る移動通信端末機の待ち受けモード画面に非定型テンプレートタイプを表示する方法を説明するために示す順序図である。
【図４】は、本発明に係る移動通信端末機の待ち受けモード画面に非定型テンプレートタイプを表示する方法による一実施形態を示すものである。
【図５】は、本発明に係る移動通信端末機の待ち受けモード画面に非定型テンプレートタイプを表示する方法による他の実施形態を示すものである。
【図１】
2008537401.tif 000003
【図２】
2008537401.tif 000004
【図３】
2008537401.tif 000005
【図４】
2008537401.tif 000006
【図５】
2008537401.tif 000007
【国際調査報告】
2008537401.tif 000008
2008537401.tif 000009